(57)【要約】【課題】蓋体を開ける際の操作感を軽くすることが可能な化粧料容器を提供する。【解決手段】化粧料を収納する容器本体３と、容器本体を開閉自在に閉じるためにその上方から被せられる蓋体５と、蓋体の前端縁に、当該蓋体内方へ水平に折り返して形成された第１係合突起１２と、蓋体の第１係合突起下方に位置する容器本体の前端縁に、これに沿って形成されたスリット１３を介して水平方向へ弾性変形自在に形成された弾性操作部１４と、弾性操作部に容器本体上方へ突出させて第１係合突起と係脱自在に形成され、弾性操作部の弾性変形に従って水平に移動されて第１係合突起から離脱される第２係合突起１５と、蓋体から垂下させて形成され、移動される第２係合突起と当接されて蓋体を押し上げる突起１７とを備えた。【選択図】          図４
2004209029.tif 000002
【特許請求の範囲】
【請求項１】
化粧料を収納する容器本体と、該容器本体を開閉自在に閉じるためにその上方から被せられる蓋体と、該蓋体の一端縁に、当該蓋体内方へ水平に折り返して形成された係合部と、上記蓋体の係合部下方に位置する上記容器本体の縁辺部に、これに沿って形成されたスリットを介して水平方向へ弾性変形自在に形成された弾性操作部と、該弾性操作部に上記容器本体上方へ突出させて上記係合部と係脱自在に形成され、該弾性操作部の弾性変形に従って水平に移動されて該係合部から離脱される被係合部と、上記蓋体から垂下させて形成され、移動される上記被係合部と当接されて該蓋体を押し上げる突起とを備えたことを特徴とする化粧料容器。
【発明の詳細な説明】
【０００１】
【発明の属する技術分野】
本発明は、蓋体を開ける際の操作感を軽くすることが可能な化粧料容器に関する。
【０００２】
【従来の技術】
従来、この種の化粧料容器として、特許文献１に開示されたものが知られている。この化粧料容器では、容器本体の前端縁にその両端部間にわたってスリットを形成し、このスリットを介して容器本体の前端縁に可撓変形可能に帯状プッシュピースを両端支持させている。また、帯状プッシュピースと相対向させて、スリット内に被係合部を形成し、他方、蓋体には、スリット内へ挿入されて被係合部と係合する係合部および帯状プッシュピースに臨む傾斜面部を有する突部を形成している。さらに、帯状プッシュピースには、傾斜面部に摺接する面取り部を形成している。
【０００３】
そして、帯状プッシュピースをスリットに向かって押し込むと、帯状プッシュピースは、容器本体の両端部を支点として弓状に可撓変形し、さらに帯状プッシュピースを押圧すると、蓋体の突部の傾斜面部に当接した面取り部が傾斜面部を摺動しつつ進入していき、これにより突部の傾斜面部を上方に押し上げて被係合部と係合部との係合を解除するようになっていた。
【０００４】
【特許文献１】
特開平１１−３３２６３９号公報
【０００５】
【発明が解決しようとする課題】
ところで、上記従来の化粧料容器にあっては、係合部と被係合部との係合を解除して蓋体を開ける際の操作感が重いという課題があった。
【０００６】
具体的に説明すると、上述したように、スリットによって容器本体に一体的に帯状プッシュピースを形成して、この帯状プッシュピースの両端を容器本体に支持させる構造を採用し、被係合部と係合部との係合を解除する際には、この帯状プッシュピースを押圧して容器本体に対し弓状に可撓変形させ、この可撓変形によって面取り部を突部の傾斜面部に対してスライド式に摺動させるようにし、この摺動動作によって突部を押し上げるようにしていたため、プッシュピースを押圧する操作力が突部の押し上げと、面取り部の突部に対するスライド移動とに分散され、この結果、係合を解除する際の帯状プッシュピースの操作感が重かった。
【０００７】
本発明は上記従来の課題に鑑みて創案されたものであって、蓋体を開ける際の操作感を軽くすることが可能な化粧料容器を提供することを目的とする。
【０００８】
【課題を解決するための手段】
本発明にかかる化粧料容器は、化粧料を収納する容器本体と、該容器本体を開閉自在に閉じるためにその上方から被せられる蓋体と、該蓋体の一端縁に、当該蓋体内方へ水平に折り返して形成された係合部と、上記蓋体の係合部下方に位置する上記容器本体の縁辺部に、これに沿って形成されたスリットを介して水平方向へ弾性変形自在に形成された弾性操作部と、該弾性操作部に上記容器本体上方へ突出させて上記係合部と係脱自在に形成され、該弾性操作部の弾性変形に従って水平に移動されて該係合部から離脱される被係合部と、上記蓋体から垂下させて形成され、移動される上記被係合部と当接されて該蓋体を押し上げる突起とを備えたことを特徴とする。
【０００９】
蓋体内方に水平に折り返して形成した係合部に対し、容器本体上方へ突出させて形成した被係合部が係合している状態で、弾性操作部を操作して水平方向へ弾性変形させると、当該弾性操作部の変形に伴って被係合部が水平に移動して係合部から離脱するようにしていて、操作力のほとんどすべてを係合部と被係合部との離脱操作に寄与させることが可能であり、蓋体を開放する際の操作感を軽くし得る。また、移動する被係合部と当接する突起で蓋体を押し上げるようにしていて、蓋体の開放操作性を円滑化することが可能である。
【００１０】
【発明の実施の形態】
以下に、本発明にかかる化粧料容器の好適な一実施形態を、添付図面を参照して詳細に説明する。本実施形態にかかる化粧料容器１は図１〜図４に示すように、化粧料Ｐを収容する化粧料収納部２がその左右幅方向に並べて２つ形成された平面外形輪郭が矩形状の合成樹脂製容器本体３と、容器本体３の前後方向後端縁にヒンジ４を介して回動可能に連結され、容器本体３にこれを開閉自在に閉じるべくその上方から被せられる平面外形輪郭が矩形状の合成樹脂製蓋体５とから主に構成される。
【００１１】
ヒンジ４は、容器本体３の後端縁から一対突設されたヒンジ片６間に、蓋体５の後端縁から垂下されたヒンジブロック７が挟み込まれ、これらヒンジブロック７からヒンジ片６にわたって容器本体３の左右幅方向に形成されたピン穴８にヒンジピンが挿入されることで構成される。図示例にあっては、容器本体３および蓋体５はともに平面外形輪郭が矩形状であるが、これに限らず、円形状や多角形状であっても良いことはもちろんである。
【００１２】
蓋体５は図１に示すように、板状の蓋板９と、蓋板９の周縁にこれに沿って環状に立ち上げて形成され、蓋体５で容器本体３を閉じたときに当該容器本体３の上面に当接される周壁１０とから構成される。そしてこの蓋体５には、その一端縁、図示例にあっては蓋体５の前後方向前端縁に、係合部としての第１係合突起１２が設けられる。この第１係合突起１２は図２に示すように、周壁１０の下端から蓋体５内方となる蓋板９上方へ張り出すように水平に折り返した形態で、蓋体５に形成される。
【００１３】
他方、容器本体３には、第１係合突起１２下方に位置する縁辺部、図示例にあっては容器本体３の前後方向前端縁にこれに沿って、当該容器本体３を上下方向に貫通するスリット１３が形成される。このスリット１３は、容器本体３の左右幅方向ほぼ全幅にわたって長く形成される。そしてこのスリット１３により、容器本体３の前端縁には、容器本体３の前後方向へ折り曲げられた形態の両端１４ａ，１４ａが当該容器本体３に一体的に連結されて、スリット１３内で当該容器本体３の前後方向後方へ水平に弾性変形自在な帯状の弾性操作部１４が形成される。
【００１４】
弾性操作部１４には、これより上方へ、すなわち容器本体３上方へ突出させて、第１係合突起１２と係脱自在に係合される被係合部としての第２係合突起１５が形成される。具体的には図２に示すように、弾性操作部１４には、その左右幅方向ほぼ中央から上方へ向かってＬ字状の爪片１６が形成され、この爪片１６の上端に第１係合突起１２に向かって水平に突出させて第２係合突起１５が形成される。
【００１５】
この第２係合突起１５はその下面１５ａが平坦面で形成される一方で、上記第１係合突起１２はその上面１２ａが平坦面で形成され、これら第２係合突起１５と第１係合突起１２とは、上下方向に互いに離脱不能にかつ前後方向へ相対移動可能に、角付けされた出隅と入隅の関係をもって係合される。また、これら第２係合突起１５の上面１５ｂおよび第１係合突起１２の下面１２ｂは、容器本体３に上方から蓋体５を被せる際に、第１係合突起１２が第２係合突起１５をスムーズに乗り越えることができるように、互いにテーパ面で形成される。そしてこの第２係合突起１５は弾性操作部１４に形成されていることから、当該弾性操作部１４の弾性変形に従って容器本体３の後方へ向かって水平に移動され、これにより第１係合突起１２から離脱されるようになっている。
【００１６】
さらに、蓋体５には、その蓋板９から垂下させて、移動される第２係合突起１５と当接されて蓋体５を押し上げる突起１７が形成される。図示例にあっては突起１７は、弾性操作部１４が弾性変形されるスリット１３の直上に位置させて、かつ弾性操作部１４の弾性変形で第２係合突起１５とともに移動される爪片１６の幅相当の間隔を隔てて一対形成される。
【００１７】
殊にこれら突起１７は図２に示すように、第２係合突起１５が第１係合突起１２から離脱した後に、第２係合突起１５もしくは爪片１６と摺動自在に圧接して蓋体５を押し上げるために、その前端１７ａの位置が、第１係合突起１２から第２係合突起１５が離脱した後に爪片１６との当接を開始する位置に設定されるとともに、またこの前端１７ａは、第１係合突起１１から離脱する第２係合突起１５の移動方向に沿って、徐々に垂下量が大きくなるテーパ状に形成される。
【００１８】
次に、本実施形態の化粧料容器１の作用について説明すると、蓋体５を開けるときには、弾性操作部１４をスリット１３内方へ押し込んで、水平方向に弾性変形させていく。弾性操作部１４を弾性変形させていくと図３に示すように、それに伴って爪片１６およびこれに形成した第２係合突起１５が容器本体３後方へ向かって水平に移動していき、蓋体５内方へ水平に折り返して形成した第１係合突起１２から第２係合突起１５が離脱される。これにより、第１係合突起１２と第２係合突起１５の係合によって維持されていた蓋体５による容器本体３の閉止状態が解除され、容器本体３を開閉する蓋体５の回動操作が可能となる。
【００１９】
その後さらに弾性操作部１４を押し込んで弾性変形させていくと図４に示すように、爪片１６が蓋体５の突起１７に当接し始める。突起１７の前端１７ａがテーパ状であるため、これに当接しつつ摺動する爪片１６は、容器本体３に対して突起１７を浮き上がらせることとなり、これにより容器本体３から蓋体５が押し上げられる。その後は、押し上げられた蓋体５と容器本体３との間に指などを差し込んで蓋体５を回動させることで、容器本体３を開放することができる。弾性操作部１４は、押圧操作力を取り去れば、その弾性により元の位置に復原する。
【００２０】
他方、蓋体５を閉じる際には、蓋体５を容器本体３に押し付ければ、弾性操作部１４のわずかな弾性変形を伴いながら、テーパ面とした第１および第２係合突起の下面１２ｂおよび上面１５ｂを利用して第１係合突起１２が第２係合突起１５を乗り越えて係合し、これにより蓋体５による容器本体３の閉止状態が維持されることになる。
【００２１】
以上説明したように本実施形態にかかる化粧料容器１にあっては、水平方向へ弾性変形自在な弾性操作部１４を押圧操作することにより、水平に形成した第１係合突起１２に係合している第２係合突起１５を水平に移動させて当該第１係合突起１２から離脱させるようにしたので、操作力のほとんどすべてを第１係合突起１２と第２係合突起１５との離脱操作に寄与させることができ、軽い操作力で係合を解除することができて蓋体５を開ける際の操作性を向上することができる。
【００２２】
また、蓋体５に突起１７を設け、離脱操作の際に移動する第２係合突起１５もしくは爪片１６をこの突起１７に当接させて蓋体５を押し上げるようにしたので、蓋体５の開放操作性を円滑化することができる。
【００２３】
図５には、上記実施形態の変形例が示されている。この実施形態は、スリット１３の両端１３ａを容器本体３の左右幅方向両端から後方へ向かって延長し、これによって容器本体３の前後方向へ向かって折り曲げられた形態の弾性操作部１４の両端１４ａを延長するようにしたもので、このような構成によれば弾性操作部１４の弾性変形能を高めることができ、より軽い操作力で弾性操作部１４を押圧操作して第２係合突起１５を第１係合突起１２から離脱させることができる。
【００２４】
上記実施形態にあっては、弾性操作部１４や第１，第２係合突起１２，１５を化粧料容器１の前後方向前端に備える場合を例にとって説明したが、これに限らず化粧料容器１の左右幅方向の一方もしくは双方に備えるようにしても良い。また、蓋体５についても、ヒンジ４によって回動される形態のものに限られることはない。
【００２５】
【発明の効果】
以上要するに、本発明にかかる化粧料容器にあっては、蓋体を開ける際の操作感を軽くすることができる。
【図面の簡単な説明】
【図１】本発明にかかる化粧料容器の好適な一実施形態を示す斜視図である。
【図２】図１に示した化粧料容器の要部拡大側断面図である。
【図３】図１の化粧料容器の弾性操作部の操作開始段階を示す要部拡大側断面図である。
【図４】図１の化粧料容器の弾性操作部の操作最終段階を示す要部拡大側断面図である。
【図５】本発明にかかる化粧料容器の変形例を示す要部拡大平面図である。
【符号の説明】
１  化粧料容器                      ３  容器本体
５  蓋体                            １２  第１係合突起
１３  スリット                      １４  弾性操作部
１５  第２係合突起                  １７  突起
Ｐ  化粧料
【図１】
2004209029.tif 000003
【図２】
2004209029.tif 000004
【図３】
2004209029.tif 000005
【図４】
2004209029.tif 000006
【図５】
2004209029.tif 000007